(57)【要約】      （修正有）【課題】スライドレールアセンブリを提供する。【解決手段】第一レール（外側レール２０）、第二レール（中間レール３０）、ブラケット５０及び支持基部７０を有する。第一レールは、第一の方向Ｘに沿って第一の通路を規定する。第二レールは、第一レールに移動可能に接続され、第一の通路内で第一レールに対して移動可能である。ブラケット５０は、第一レールの端部に接続される。支持基部７０は、ブラケット５０上に移動可能に配置され、第一の方向Ｘに沿ってブラケット５０に対して移動可能である。支持基部７０は、第一の通路に対応する支持通路を規定する第一支持部分７２を含み、支持基部７０は、第二レールが支持通路内に移動することを可能にするように構成されている。【選択図】図２
0003198564.tif 000002
【実用新案登録請求の範囲】
【請求項１】
スライドレールアセンブリであって、
第一の方向に沿って第一の通路を規定する、第一レール、
前記第一レールに移動可能に接続された、第二レール、
前記第一レールの端部に接続された、ブラケット、及び
前記ブラケット上に移動可能に配置され、前記第一の方向に沿って前記ブラケットに対して移動可能な支持基部であり、当該支持基部は、前記第一の通路に対応する支持通路を規定する第一支持部分を有し、当該支持基部は、前記第二レールが前記支持通路内に移動することを可能にするように構成されている、支持基部、
を有する、スライドレールアセンブリ。
【請求項２】
前記第一レールは、二つの第一側壁及び該二つの第一側壁の間に接続された第一横壁を有し、前記第一の通路は、前記二つの第一側壁及び前記第一横壁によって規定され、
前記第二レールは、前記第一の通路内で前記第一レールに対して移動可能であり、
二つの第二側壁及び該二つの第二側壁の間に接続された第二横壁を有し、前記二つの第二側壁及び前記第二横壁によって、前記第一の方向に沿って第二の通路が規定され、
当該スライドレールアセンブリは、前記第二レールに移動可能に接続され、前記第二の通路内で前記第二レールに対して移動可能な、第三レール、を更に有する、
請求項１記載のスライドレールアセンブリ。
【請求項３】
前記第一支持部分は、二つの支持側壁及び該二つの支持側壁の間に接続された支持横壁を有し、前記二つの支持側壁は前記二つの第二側壁に対応し、前記支持横壁は前記第二横壁に対応する、請求項２記載のスライドレールアセンブリ。
【請求項４】
前記ブラケットは、二つの第三側壁及び該二つの第三側壁の間に接続された第三横壁を有し、前記二つの第三側壁及び前記第三横壁によって、前記第一の方向に沿って第三の通路が規定され、
前記支持基部は、前記ブラケットに移動可能に接続され、前記第三の通路内で前記ブラケットに対して移動可能な第二支持部分を更に有する、
請求項１記載のスライドレールアセンブリ。
【請求項５】
前記第一レール及び前記ブラケットは、一体的に形成されている、請求項１記載のスライドレールアセンブリ。
【請求項６】
前記第一レール及び前記ブラケットは、第二の方向に沿って異なる平面に配置されており、前記第二の方向は、前記第一の方向に対して垂直である、請求項１記載のスライドレールアセンブリ。
【請求項７】
スライドレールアセンブリであって、
二つの第一側壁及び該二つの第一側壁の間に接続された第一横壁を有する第一レールであり、前記二つの第一側壁及び前記第一横壁によって、第一の方向に沿って第一の通路が規定された、第一レール、
前記第一レールに移動可能に接続された、第二レール、
前記第一レールの端部に接続された、ブラケット、及び
前記ブラケット上に移動可能に配置され、前記第一の方向に沿って前記ブラケットに対して移動可能な支持基部であり、当該支持基部は、前記第一の通路に対応する支持通路を規定する第一支持部分を有する、支持基部、
を有し、
前記第二レールが前記第一の通路内で前記第一レールに対して移動した場合に、前記第二レールの一部分は、前記支持通路内に移動し、前記支持基部の前記第一支持部分によって支持される、
スライドレールアセンブリ。
【請求項８】
前記第二レールは、二つの第二側壁及び該二つの第二側壁の間に接続された第二横壁を有し、前記二つの第二側壁及び前記第二横壁によって、前記第一の方向に沿って第二の通路が規定され、
当該スライドレールアセンブリは、前記第二レールに移動可能に接続され、前記第二の通路内で前記第二レールに対して移動可能な、第三レール、を更に有する、
請求項７記載のスライドレールアセンブリ。
【請求項９】
前記第一支持部分は、二つの支持側壁及び該二つの支持側壁の間に接続された支持横壁を有し、前記二つの支持側壁は前記二つの第二側壁に対応し、前記支持横壁は前記第二横壁に対応する、請求項８記載のスライドレールアセンブリ。
【請求項１０】
前記ブラケットは、二つの第三側壁及び該二つの第三側壁の間に接続された第三横壁を有し、前記二つの第三側壁及び前記第三横壁によって、前記第一の方向に沿って第三の通路が規定され、
前記支持基部は、前記ブラケットに移動可能に接続され、前記第三の通路内で前記ブラケットに対して移動可能な第二支持部分を更に有する、
請求項７記載のスライドレールアセンブリ。
【請求項１１】
前記支持基部は、前記第一支持部分上に配置された少なくとも一つの接触部品を更に有し、
前記第二レールの一部分が前記支持通路内に移動した場合に、前記第二レールの前記部分は、前記少なくとも一つの接触部品に接触し、前記支持基部を、前記第一の方向に沿って前記ブラケットに対して移動するように駆動する、
請求項７記載のスライドレールアセンブリ。
【請求項１２】
前記第一レール及び前記ブラケットは、一体的に形成されている、請求項７記載のスライドレールアセンブリ。
【請求項１３】
前記第一レール及び前記ブラケットは、第二の方向に沿って異なる平面に配置されており、前記第二の方向は、前記第一の方向に対して垂直である、請求項７記載のスライドレールアセンブリ。
【請求項１４】
シャーシをラックに取り付けるように構成された、スライドレールアセンブリであって、当該スライドレールアセンブリは、
二つの第一側壁及び該二つの第一側壁の間に接続された第一横壁を有する第一レールであり、前記二つの第一側壁及び前記第一横壁によって、第一の方向に沿って第一の通路が規定された、第一レール、
前記第一レールの第一端部に接続され、前記ラックの第一ポストに付くように構成された、第一ブラケット、
前記第一レールの第二端部に接続され、前記ラックの第二ポストに付くように構成された、第二ブラケット、
前記第一ブラケット上に移動可能に配置され、前記第一の方向に沿って前記第一ブラケットに対して移動可能な支持基部であり、当該支持基部は、前記第一の通路に対応する支持通路を規定する第一支持部分を有する、支持基部、
前記第一レールに移動可能に接続された第二レールであり、当該第二レールは、二つの第二側壁及び該二つの第二側壁の間に接続された第二横壁を有し、前記二つの第二側壁及び前記第二横壁によって、前記第一の方向に沿って第二の通路が規定された、第二レール、及び
前記第二レールに移動可能に接続された第三レールであり、前記シャーシは当該第三レール上に取り付けられる、第三レール、
を有し、
前記第二レールが前記第一の通路内で前記第一レールに対して移動した場合に、前記第二レールの一部分は、前記支持通路内に移動し、前記支持基部の前記第一支持部分によって支持される、
スライドレールアセンブリ。
【請求項１５】
前記第一支持部分は、二つの支持側壁及び該二つの支持側壁の間に接続された支持横壁を有し、前記二つの支持側壁は前記二つの第二側壁に対応し、前記支持横壁は前記第二横壁に対応する、請求項１４記載のスライドレールアセンブリ。
【請求項１６】
前記第一ブラケットは、二つの第三側壁及び該二つの第三側壁の間に接続された第三横壁を有し、前記二つの第三側壁及び前記第三横壁によって、前記第一の方向に沿って第三の通路が規定され、
前記支持基部は、前記第一ブラケットに移動可能に接続され、前記第三の通路内で前記第一ブラケットに対して移動可能な第二支持部分を更に有する、
請求項１４記載のスライドレールアセンブリ。
【請求項１７】
前記支持基部は、前記第一支持部分上に配置された少なくとも一つの接触部品を更に有し、
前記第二レールの一部分が前記支持通路内に移動した場合に、前記第二レールの前記部分は、前記少なくとも一つの接触部品に接触し、前記支持基部を、前記第一の方向に沿って前記第一ブラケットに対して移動するように駆動する、
請求項１４記載のスライドレールアセンブリ。
【請求項１８】
前記第一レール及び前記第一ブラケットは、一体的に形成されている、請求項１４記載のスライドレールアセンブリ。
【請求項１９】
前記第一レール及び前記第一ブラケットは、第二の方向に沿って異なる平面に配置されており、前記第二の方向は、前記第一の方向に対して垂直である、請求項１４記載のスライドレールアセンブリ。
【請求項２０】
前記シャーシは第一部分及び第二部分を有し、前記第一部分は前記第二部分よりも幅広であり、前記第二部分の一つの側面は前記第二レールに取り付けられている、請求項１４記載のスライドレールアセンブリ。
【考案の詳細な説明】
【技術分野】
【０００１】
本考案は、スライドレールアセンブリに関し、より具体的には、引き出されるときにレールを支持することが可能な支持基部を有するスライドレールアセンブリに関する。
【背景技術】
【０００２】
スライドレールアセンブリは、引き伸ばされ又は引っ込められるために、互いに移動可能に接続された、外側レール、中間レール及び内側レールを有し得る。外側レールの両端部は、スライドレールアセンブリを支持するためにラックに取り付けられることができる。中間レールは、内側レールが引き出される場合に内側レールを支持するために、外側レールと内側レールとの間に移動可能に接続される。スライドレールアセンブリが、シャーシがラック内に格納され又はラックから引き出されることを可能にすることができるように、内側レールはシャーシ等の装置を支えることができる。
【０００３】
しかしながら、従来技術において、中間レール及び内側レールが引き出されるときに、中間レールの小さな部分のみが外側レールによって支持され、中間レールの他の部分は如何なる支持もなくぶら下げられる。したがって、従来技術のスライドレールアセンブリは、シャーシがラックから引き出されるときにシャーシを安定的に支えることができない。
【考案の概要】
【課題を解決するための手段】
【０００４】
本考案は、第一レール、第二レール、ブラケット及び支持基部を有するスライドレールアセンブリを提供する。第一レールは、第一の方向に沿って第一の通路を規定する。第二レールは、第一レールに移動可能に接続される。ブラケットは、第一レールの端部に接続される。支持基部は、ブラケット上に移動可能に配置され、第一の方向に沿ってブラケットに対して移動可能である。支持基部は、第一の通路に対応する支持通路を規定する第一支持部分を含み、支持基部は、第二レールが支持通路内に移動することを可能にするように構成されている。
【０００５】
好ましくは、第一レールは、二つの第一側壁及び二つの第一側壁の間に接続された第一横壁を有し、第一の通路は、二つの第一側壁及び第一横壁によって規定され、第二レールは、第一の通路内で第一レールに対して移動可能であり、二つの第二側壁及び二つの第二側壁の間に接続された第二横壁を有し、二つの第二側壁及び第二横壁によって、第一の方向に沿って第二の通路が規定され、スライドレールアセンブリは、第二レールに移動可能に接続され、第二の通路内で第二レールに対して移動可能な、第三レール、を更に有する。
【０００６】
好ましくは、第一支持部分は、二つの支持側壁及び二つの支持側壁の間に接続された支持横壁を有し、二つの支持側壁は二つの第二側壁に対応し、支持横壁は第二横壁に対応する。
【０００７】
好ましくは、ブラケットは、二つの第三側壁及び二つの第三側壁の間に接続された第三横壁を有し、二つの第三側壁及び第三横壁によって、第一の方向に沿って第三の通路が規定され、支持基部は、ブラケットに移動可能に接続され、第三の通路内でブラケットに対して移動可能な第二支持部分を更に有する。
【０００８】
好ましくは、第一レール及びブラケットは、一体的に形成されている。
【０００９】
好ましくは、第一レール及びブラケットは、第二の方向に沿って異なる平面に配置されており、第二の方向は、第一の方向に対して垂直である。
【００１０】
本考案は、第一レール、第二レール、ブラケット及び支持基部を有するスライドレールアセンブリを更に提供する。第一レールは、二つの第一側壁及び二つの第一側壁の間に接続された第一横壁を有する。第一の通路は、二つの第一側壁及び第一横壁によって、第一の方向に沿って規定される。第二レールは、第一レールに移動可能に接続される。ブラケットは、第一レールの端部に接続される。支持基部は、ブラケット上に移動可能に配置され、第一の方向に沿ってブラケットに対して移動可能である。支持基部は、第一の通路に対応する支持通路を規定する第一支持部分を含み、第二レールが第一の通路内で第一レールに対して移動した場合に、第二レールの一部分は、支持通路内に移動し、支持基部の第一支持部分によって支持される。
【００１１】
本考案は、シャーシをラックに取り付けるように構成された、スライドレールアセンブリを更に提供する。そのスライドレールアセンブリは、第一レール、第一ブラケット、第二ブラケット、支持基部、第二レール及び第三レールを有する。第一レールは、二つの第一側壁及び二つの第一側壁の間に接続された第一横壁を有する。第一の通路は、二つの第一側壁及び第一横壁によって、第一の方向に沿って規定される。第一ブラケットは、第一レールの第一端部に接続され、ラックの第一ポストに取り付けられる。第二ブラケットは、第一レールの第二端部に接続され、ラックの第二ポストに取り付けられる。支持基部は、第一ブラケット上に移動可能に配置され、第一の方向に沿って第一ブラケットに対して移動可能である。支持基部は、第一の通路に対応する支持通路を規定する第一支持部分を有する。第二レールは、第一レールに移動可能に接続され、第一の通路内で第一レールに対して移動可能である。第二レールは、二つの第二側壁及び二つの第二側壁の間に接続された第二横壁を有する。第二の通路は、二つの第二側壁及び第二横壁によって、第一の方向に沿って規定される。第三レールは、第二レールに移動可能に接続され、第二の通路内で第二レールに対して移動可能である。シャーシは第三レール上に取り付けられる。そして、第二レールが第一の通路内で第一レールに対して移動した場合に、第二レールの一部分は、支持通路内に移動し、支持基部の第一支持部分によって支持される。
【００１２】
本考案のこれらの及び他の対象は、以下の、様々な図表及び図面に示される好ましい実施形態の詳細な説明を読んだ後に、疑いなく、当業者にとって明白になるであろう。
【図面の簡単な説明】
【００１３】
【図１】図１は、本考案の一つの実施形態のスライドレールアセンブリを示す図である。
【図２】図２は、本考案の一つの実施形態のスライドレールアセンブリの分解図である。
【図３】図３は、ラック上にシャーシを取り付けるように構成された、本考案の一つの実施形態のスライドレールアセンブリを示す図である。
【図４】図４は、第一ブラケット上の一つの位置に配置された支持基部を示す図である。
【図５】図５は、第一ブラケット上の他の位置に配置された支持基部を示す図である。
【図６】図６は、本考案の一つの実施形態による、図１の線１−１に沿うスライドレールアセンブリの断面図である。
【図７】図７は、ラック内にシャーシが格納されるときに折り畳まれたケーブルマネジメント装置を示す図である。
【図８】図８は、スライドレールアセンブリ上の一つの位置に配置された、ケーブルマネジメント装置の第一腕部の端部を示す図である。
【図９】図９は、スライドレールアセンブリ上の他の位置に配置された、ケーブルマネジメント装置の第一腕部の端部を示す図である。
【図１０】図１０及び図１１は、中間レールと係合するための弾性腕部を有する第一接続基部を示す図である。
【図１１】図１０及び図１１は、中間レールと係合するための弾性腕部を有する第一接続基部を示す図である。
【図１２】図１２は、中間レールと係合した第一接続基部を示す図である。
【図１３】図１３は、中間レールから解放された第一接続基部を示す図である。
【考案を実施するための形態】
【００１４】
図１は、本考案の一つの実施形態のスライドレールアセンブリを示す図である。図２は、本考案の一つの実施形態のスライドレールアセンブリの分解図である。本考案のスライドレールアセンブリ１０は、外側レール２０、中間レール３０及び内側レール４０を有する。外側レール２０は、二つの第一側壁２２及び二つの第一側壁２２の間に接続された第一横壁２４を有する。第一の通路は、二つの第一側壁２２及び第一横壁２４によって、第一の方向Ｘ（スライドレールアセンブリ１０の長手方向）に沿って規定される。中間レール３０は、外側レール２０に移動可能に接続され、第一の通路内で外側レール２０に対して移動可能である。中間レール３０は、二つの第二側壁３２及び二つの第二側壁３２の間に接続された第二横壁３４を有する。第二の通路は、二つの第二側壁３２及び第二横壁３４によって、第一の方向Ｘに沿って規定される。内側レール４０は、中間レール３０に移動可能に接続され、第二の通路内で中間レール３０に対して移動可能である。
【００１５】
本考案のスライドレールアセンブリ１０は、第一ブラケット５０、第二ブラケット６０及び支持基部７０を更に有する。第一ブラケット５０は、外側レール２０の第一端部に接続される。第一ブラケット５０は、二つの第三側壁５２及び二つの第三側壁５２の間に接続された第三横壁５４を有する。第三の通路は、二つの第三側壁５２及び第三横壁５４によって、第一の方向Ｘに沿って規定される。第二ブラケット６０は、外側レール２０の第二端部に接続される。支持基部７０は、第一支持部分７２及び第二支持部分７４を有する。第一支持部分７２は、二つの支持側壁７６及び二つの支持側壁７６の間に接続された支持横壁７８を有する。二つの支持側壁７６は、中間レール３０の二つの第二側壁３２にそれぞれ対応し、支持横壁７８は、中間レール３０の第二横壁３４に対応する。支持通路は、二つの支持側壁７６及び支持横壁７８によって、第一の方向Ｘに沿って規定される。支持通路は、第一の通路に対応し、中間レール３０が支持通路内に移動することを可能にするように構成される。第二支持部分７４は、第一ブラケット５０に移動可能に接続され、第一の方向Ｘに沿って第三の通路内で第一ブラケット５０に対して移動可能である。
【００１６】
上記の実施形態において、外側レール２０及び第一ブラケット５０は一体的に形成されており、外側レール２０及び第一ブラケット５０は、第二の方向Ｙに沿って異なる平面に配置されている。ここで、第二の方向Ｙは、第一の方向Ｘに対して垂直である。上記の配置によれば、外側レール２０及び第一ブラケット５０は、シャーシ９０の形状に対応してもよい。しかしながら、本考案は上記の実施形態に限定されず、外側レール２０及び第一ブラケット５０は、個別に形成されてもよい。
【００１７】
図３を参照すると、図３は、ラック上にシャーシを取り付けるように構成された、本考案のスライドレールアセンブリを示す図である。スライドレールアセンブリ１０がラックに取り付けられることができるように、第一ブラケット５０は、ラックの第一ポスト１０２に付くように構成されており、第二ブラケット６０は、ラックの第二ポスト１０４に付くように構成されている。さらに、スライドレールアセンブリ１０が、シャーシ９０がラック内に格納され又はラックから引き出されることを可能にすることができるように、シャーシ９０は内側レール４０に取り付けられることができる。シャーシ９０は、第一部分９２及び第二部分９４を有する。第一部分９２は第二部分９４よりも幅広であり、第二部分９４の側面が内側レール４０に取り付けられている。
【００１８】
上記の配置によれば、シャーシ９０がラックから引き出された場合に、中間レール３０は第一の通路内で外側レール２０に対して移動し、中間レール３０の一部分は支持通路内に移動して支持基部７０の第一支持部分７２によって支持される。図４及び図５に示されるように、支持基部７０は、第一ブラケット５０上の位置Ａと位置Ｂとの間で移動することができ、中間レール３０が引き出される場合に中間レール３０を支持することができる。したがって、中間レール３０は外側レール２０及び支持基部７０の両方によって支持され、それによりスライドレールアセンブリ１０は、シャーシ９０がラックから引き出されるときにシャーシ９０をより安定的に支えることができる。
【００１９】
図６を参照すると、図６は、図１の線１−１に沿うスライドレールアセンブリの断面図である。支持基部７０は、第一支持部分７２上に配置された少なくとも一つの接触部品７３を更に有してもよい。中間レール３０の一部分が支持通路内に移動した場合に、中間レール３０のその部分は接触部品７３に接触し、支持基部７０を第一の方向Ｘに沿って第一ブラケット５０に対して移動するように駆動する。したがって、シャーシ９０が外側に引かれたときに、支持基部７０は、外側の位置へ移動するように中間レール３０によって駆動され、より良い支持を提供することができる。本考案の他の実施形態において、支持基部７０は接触部品７３を有しなくてもよい。すなわち、支持基部７０は、シャーシ９０が外側に引かれたときに移動するように中間レール３０によって駆動されない。支持基部７０はまた、手動で動かされてもよい。
【００２０】
他方では、図１及び図２に示されるように、本考案のスライドレールアセンブリ１０は、第一接続基部８２及び第二接続基部８４を更に有してもよい。第一接続基部８２は、外側レール２０に移動可能に接続され、第一の通路内の位置Ｃ及び位置Ｄとの間で外側レール２０に対して移動可能である。第二接続基部８４は、内側レール４０に接続される。加えて、図３に示されるように、第一接続基部はケーブルマネジメント装置１１０の第一腕部１１２に接続するように構成されており、第二接続基部８４は、第一腕部１１２に移動可能に接続されたケーブルマネジメント装置の第二腕部１１４に接続するように構成されている。そこで、第一腕部１１２及び第二腕部１１４は、互いに回動可能に接続されてもよい。ケーブルマネジメント装置１１０は、シャーシ９０上に配置された装置に接続するケーブルを支持してもよい。さらに、図７に示されるように、シャーシ９０がラック内に格納される場合に、ケーブルマネジメント装置１１０は折り畳まれる。
【００２１】
上記の配置によれば、内側レール４０が第一の方向Ｘに沿って外側に所定の距離だけ動かされた場合に、第一接続基部８２は、ケーブルマネジメント装置１１０を通じて内側レール４０によって引っ張られ、第一の通路内で動くことができる。図８及び図９に示されるように、ケーブルマネジメント装置１１０の第一腕部１１２の端部は、シャーシ９０が引き出されるときにスライドレールアセンブリ１０上で動くことができる。換言すれば、ケーブルマネジメント装置１１０の両端部は、内側レール４０が引き出されるときに、内側レール４０と共に動くことができる。したがって、ケーブルマネジメント装置１１０の第一腕部及び第二腕部１１２，１１４の長さが縮小されることができ、そのため、スライドレールアセンブリ１０の走行距離が増大した場合にケーブルマネジメント装置１１０を支持するための支持部材が必要とされない。
【００２２】
再び図１を参照すると、本考案の一つの実施形態によれば、外側レール２０は、第一接続基部８２が位置Ｄに達した場合に第一接続基部８２を止めるためのストッパー８６を更に有してもよい。しかしながら、本考案の他の実施形態において、ストッパー８６は必須のものではない。
【００２３】
図１０及び図１１を参照すると、図１０及び図１１は、中間レールと係合するための弾性腕部を有する第一接続基部を示す図である。本考案の一つの実施形態によれば、第一接続基部８２は弾性腕部８３を有してもよく、弾性腕部８３のフック部分８５は、第一接続基部８２と中間レール３０とを接続するために、中間レール３０の開口部３６に入ってもよい。図１２に示されるように、第一接続基部８２が位置Ｄに配置されていない場合は、弾性腕部８３のフック部分８５を中間レール３０の開口部３６内に押し込むように弾性腕部８３は押圧されており、それにより第一接続基部８２は中間レール３０と係合し、中間レール３０と共に移動する。図１３に示されるように、第一接続基部８２が位置Ｄに達した場合は、解放ユニット、例えば外側レール２０上の解放穴２６は、弾性腕部８３が復元することを可能にすることができ、それにより弾性腕部８３のフック部分８５は中間レール３０の開口部３６から外に移動し、弾性腕部８３を中間レール３０から解放する。それ故に、第一接続基部８２はもはや中間レール３０と共に動かされない。さらに、弾性腕部８３は、中間レール３０に対して一端が接するように構成された隣接部分８７を更に有してもよい。それ故に、中間レール３０が位置Ｃに向かって押された場合に、第一接続基部８２は、中間レール３０によって押され、中間レール３０と共に移動することができる。しかしながら、本考案は上記の実施形態に限定されず、本考案は、第一接続基部８２が中間レール３０に接続されること及び中間レール３０から解放されることを可能にする他の種類の構造を有してもよい。
【００２４】
加えて、本考案は、外側レール、中間レール及び内側レールを有するスライドレールアセンブリに限定されない。本考案の他の実施形態において、中間レールは省略されてもよく、内側レールが中間レールに取って代わり、外側レールに移動可能に接続され、第一の通路内で外側レールに対して移動可能であってもよい。
【００２５】
従来技術とは対照的に、本考案のスライドレールアセンブリは、シャーシがラックから引き出されるときにより安定的にシャーシを支えるために、第一ブラケット上に移動可能に配置され、引き出されたレールを支持する支持基部を有する。したがって、本考案のスライドレールアセンブリは、スライドレールアセンブリの走行距離が増大した場合に、より良い支持を提供することができる。
【００２６】
当業者は、本考案の教示を保ちながら、本考案に係る装置及び方法の多数の変更及び代替が創作され得ることを容易に観察するであろう。よって、以上の開示は、添付の特許請求の範囲の境界線によってのみ限定されるものとして解釈されるべきである。
【図１】
0003198564.tif 000003
【図２】
0003198564.tif 000004
【図３】
0003198564.tif 000005
【図４】
0003198564.tif 000006
【図５】
0003198564.tif 000007
【図６】
0003198564.tif 000008
【図７】
0003198564.tif 000009
【図８】
0003198564.tif 000010
【図９】
0003198564.tif 000011
【図１０】
0003198564.tif 000012
【図１１】
0003198564.tif 000013
【図１２】
0003198564.tif 000014
【図１３】
0003198564.tif 000015